(57)【要約】【課題】  滑り難くホッパへの自動搬送が行いにくい被計量物であっても効率よく計量を行うことができる組合せ計量装置を提供すること。【解決手段】  本発明の組合せ計量装置は、環状に配置され、外部から供給された被計量物の収容及び排出を行う複数のホッパと、回転可能な環状の天板を含む回転テーブルと、を有し、前記回転テーブルは、前記環状の天板が前記複数のホッパを囲むように配置される。【選択図】図１
2018155647.tif 000002
【特許請求の範囲】
【請求項１】
環状に配置され、外部から供給された被計量物の収容及び排出を行う複数のホッパと、
回転可能な環状の天板を含む回転テーブルと、を有し、
前記回転テーブルは、前記環状の天板が前記複数のホッパを囲むように配置される、組合せ計量装置。
【請求項２】
前記回転テーブルは、前記環状の天板の周方向において、複数の部分に分割可能である、請求項１に記載の組合せ計量装置。
【請求項３】
前記回転テーブルは、前記複数の部分に分割することにより、着脱可能である、請求項２に記載の組合せ計量装置。
【請求項４】
前記回転テーブルは、前記複数の部分が結合した状態で着脱可能である、請求項２に記載の組合せ計量装置。
【請求項５】
供給装置により前記回転テーブルに供給された前記被計量物の載置量を検知する検知部と、
前記検知部の検知結果に基づき、前記供給装置の供給動作及び前記回転テーブルの回転動作の少なくとも一方を制御する制御部と、をさらに有する、請求項１〜４のいずれか一項に記載の組合せ計量装置。
【請求項６】
前記制御部は、前記環状の天板において、前記被計量物の載置量が予め設定される載置量よりも少ない領域に対して前記被計量物が供給されるように、前記供給装置の供給動作及び前記回転テーブルの回転動作の少なくとも一方を制御する、請求項５に記載の組合せ計量装置。
【請求項７】
被計量物を外周方向に搬送する分散テーブルと、
前記分散テーブルの外周に沿って配置され、前記分散テーブルから排出された被計量物を前記複数のホッパに搬送する複数の放射フィーダと、をさらに有する、請求項１〜６のいずれか一項に記載の組合せ計量装置。
【請求項８】
被計量物を供給する供給装置と、
前記供給装置により供給された前記被計量物を外周方向に搬送する分散テーブルと、
前記分散テーブルの外周に沿って配置され、前記分散テーブルから排出された前記被計量物を搬送する複数の放射フィーダと、
環状に配置され、前記複数の放射フィーダから排出された前記被計量物の収容及び排出を行う複数のホッパと、
前記複数のホッパを囲むように配置された回転可能な環状の天板を含む回転テーブルと、を備え、
前記供給装置が、前記環状の天板上又は前記分散テーブル上に被計量物を供給できるように可動式に設けられた排出部を有する、計量システム。
【請求項９】
前記供給装置から前記被計量物が供給される位置を制御する制御部をさらに備え、
前記制御部は、前記供給装置から前記回転テーブルの前記環状の天板上に被計量物を供給する第１モードと、前記供給装置から前記分散テーブル上に被計量物を供給する第２モードと、に切り替え可能である、請求項８に記載の計量システム。
【請求項１０】
前記制御部は、前記第１モードにおいて、前記分散テーブルの動作を停止させる、請求項９に記載の計量システム。
【請求項１１】
回転可能な環状の天板を含み、
前記環状の天板が、組合せ計量装置において環状に配置された複数のホッパを囲むように、配置される、回転テーブル。
【発明の詳細な説明】
【技術分野】
【０００１】
本発明は、組合せ計量装置、計量システム、及び回転テーブルに関する。
【背景技術】
【０００２】
外部から複数のホッパにそれぞれ投入される物品の重量値を測定し、測定した重量値を用いて組合せ計量する組合せ計量装置が知られている。このような組合せ計量装置として、例えば、特許文献１には、回転することにより被計量物を外周方向に搬送する分散テーブルと、分散テーブルの周囲に放射状に配置される複数の直進フィーダ（放射フィーダ）と、各直線フィーダの下方に設けられたストックホッパ（ホッパ）と、を備えるものが記載されている。
【先行技術文献】
【特許文献】
【０００３】
【特許文献１】特開２００１−１８３２２４号公報
【発明の概要】
【発明が解決しようとする課題】
【０００４】
しかしながら、例えば、鶏肉等の水分の多い被計量物は、分散テーブル及び直線フィーダとの接触面において滑り難いため、適切に分散又は搬送が行えないことがある。このような場合、自動搬送により被計量物をホッパへ搬送することが困難となる。
【０００５】
そこで、本発明は、滑り難くホッパへの自動搬送が行ない難い被計量物であっても効率よく計量を行うことができる組合せ計量装置及び計量システムを提供することを目的とする。また、本発明は、そのような組合せ計量装置又は計量システムで使用するための回転テーブルを提供することを目的とする。
【課題を解決するための手段】
【０００６】
本発明の組合せ計量装置は、環状に配置され、外部から供給された被計量物の収容及び排出を行う複数のホッパと、回転可能な環状の天板を含む回転テーブルと、を有し、回転テーブルは、環状の天板が複数のホッパを囲むように配置される。
【０００７】
この組合せ計量装置では、回転テーブル上に載置された被計量物を作業者が手作業でホッパに投入することができる。そのため、分散テーブル等において滑り難く搬送し難い被計量物についても容易にホッパに投入し計量することができる。
【０００８】
本発明の組合せ計量装置では、回転テーブルは、環状の天板の周方向において、複数の部分に分割可能であってよい。これにより、回転テーブルの持ち運び及び収納が容易となる。
【０００９】
本発明の組合せ計量装置では、回転テーブルは、複数の部分に分割することにより、着脱可能であってよい。これにより、回転テーブルの着脱が容易となる。
【００１０】
本発明の組合せ計量装置では、回転テーブルは、複数の部分が結合した状態で着脱可能であってよい。これにより、回転テーブルを分割及び結合する作業を省略することができる。
【００１１】
本発明の組合せ計量装置は、供給装置により回転テーブルに供給された被計量物の載置量を検知する検知部と、検知部の検知結果に基づき、供給装置の供給動作及び回転テーブルの回転動作の少なくとも一方を制御する制御部と、をさらに有してもよい。これにより、供給装置の供給動作又は回転テーブルの回転動作が検知部の検知結果に基づいて自動的に行われるため、作業者による被計量物の供給動作又は回転テーブルの回転動作を省略することができる。
【００１２】
本発明の組合せ計量装置では、制御部は、環状の天板において、被計量物の載置量が予め設定される載置量よりも少ない領域に対して被計量物が供給されるように、供給装置の供給動作及び回転テーブルの回転動作の少なくとも一方を制御してもよい。これにより、環状の天板における載置量の少ない箇所に自動的に被計量物が供給されるため、より効率的に計量を行うことができる。
【００１３】
本発明の組合せ計量装置は、被計量物を外周方向に搬送する分散テーブルと、分散テーブルの外周に沿って配置され、分散テーブルから排出された被計量物を複数のホッパに搬送する複数の放射フィーダと、をさらに有してもよい。これにより、分散テーブルを使用した自動搬送を併用することができるため、より効率的に被計量物の計量を行うことができる。また、システムのレイアウトを変更せずに、被計量物を自動搬送が行いやすいものに変更し、自動搬送による計量を行うこともできる。
【００１４】
本発明の計量システムは、被計量物を供給する供給装置と、供給装置により供給された被計量物を外周方向に搬送する分散テーブルと、分散テーブルの外周に沿って配置され、分散テーブルから排出された被計量物を搬送する複数の放射フィーダと、環状に配置され、複数の放射フィーダから排出された被計量物の収容及び排出を行う複数のホッパと、複数のホッパを囲むように配置された回転可能な環状の天板を含む回転テーブルと、を備え、供給装置が、環状の天板上又は分散テーブル上に被計量物を供給できるように可動式に設けられた排出部を有する。
【００１５】
本発明の計量システムでは、供給装置が環状の天板上又は分散テーブル上に被計量物を供給できるように可動式に設けられた排出部を有するため、組合せ計量装置の回転テーブル及び分散テーブルのいずれにも被計量物を供給することができる。これにより、回転テーブル又は分散テーブルへの被計量物の供給を自動化することができる。作業者は、回転テーブルを回転させることにより、供給された被計量物を他の作業者に渡すことができる。このように、被計量物の計量をさらに効率よく行うことができる。
【００１６】
本発明の計量システムは、供給装置から被計量物が供給される位置を制御する制御部をさらに備え、制御部は、供給装置から回転テーブルの環状の天板上に被計量物を供給する第１モードと、供給装置から分散テーブル上に被計量物を供給する第２モードと、に切り替え可能であってよい。これにより、被計量物の種類に応じて、作業者が手作業で被計量物をホッパに投入する場合と、自動で被計量物をホッパに搬送する場合とを切り替えることができる。
【００１７】
本発明の計量システムでは、制御部は、第１モードにおいて、分散テーブルの動作を停止させてもよい。これにより、分散テーブルを使用しない間の余分な電力消費を削減することができる。
【００１８】
本発明の回転テーブルは、回転可能な環状の天板を含み、環状の天板が、組合せ計量装置において環状に配置された複数のホッパを囲むように配置される。
【００１９】
本発明の回転テーブルは、組合せ計量装置において環状に配置された複数のホッパを囲むように配置することができるよう設計されているため、回転テーブルを有しない既存の組合せ計量装置に組合せることが容易である。これにより、既存の組合せ計量装置においても、滑り難く搬送し難い被計量物についても容易にホッパに投入し計量することができる。
【発明の効果】
【００２０】
そこで、本発明によれば、滑り難くホッパへの自動搬送が行いにくい被計量物であっても効率よく計量を行うことができる組合せ計量装置及び計量システムを提供することができる。また、本発明は、そのような組合せ計量装置又は計量システムで使用するための回転テーブルを提供することができる。
【図面の簡単な説明】
【００２１】
【図１】計量システムの構成を示す正面図である。
【図２】組合せ計量装置の構成を示す平面図である。
【発明を実施するための形態】
【００２２】
以下、本発明の実施形態について、図面を参照して詳細に説明する。なお、各図において同一又は相当部分には同一符号を付し、重複する説明を省略する。
【００２３】
図１に示されるように、計量システム１０は、組合せ計量装置１と、搬送コンベア（供給装置）５０と、製袋包装機６０と、を備える。組合せ計量装置１は、投入シュート２と、分散テーブル３と、複数の放射フィーダ４と、複数のプールホッパ（ホッパ）５と、複数の計量ホッパ６と、複数のブースタホッパ７と、集合シュート８と、タイミングホッパ９と、計量部１１と、制御部２０と、回転テーブル３０と、を備える。組合せ計量装置１は、搬送コンベア５０によって供給される物品Ａ（農産物、水産物、加工食品等のように、単体質量にばらつきのある物品）を目標計量値となるように計量して製袋包装機６０に供給する。製袋包装機６０は、フィルムを所定容量の袋に成形しつつ、組合せ計量装置１によって計量されて供給された物品Ａを袋詰めする。
【００２４】
投入シュート２は、搬送コンベア５０の排出部５１の下方に配置される。投入シュート２は、外部から搬送コンベア５０によって搬送されて搬送コンベア５０の排出部５１から落下した物品Ａを受けて下方に排出する。
【００２５】
分散テーブル３は、投入シュート２の下方に配置される。分散テーブル３は、下方に向かって末広がりの円錐状の搬送面３ａを有する。分散テーブル３は、搬送面３ａを振動させることで、投入シュート２から搬送面３ａの頂部に排出された物品Ａを搬送面３ａの外縁に向かって均一に搬送する。
【００２６】
複数の放射フィーダ４は、分散テーブル３の搬送面３ａの外縁に沿って放射状に配置される。各放射フィーダ４は、搬送面３ａの外縁の下方から外側に延在するトラフ４ａを有する。各放射フィーダ４は、トラフ４ａを振動させることで、搬送面３ａの外縁から排出された物品Ａをトラフ４ａの先端部に向かって搬送する。
【００２７】
複数のプールホッパ５は、鉛直方向に平行な中心線ＣＬを囲むように配置される。各プールホッパ５は、各放射フィーダ４のトラフ４ａの先端部の下方に配置される。各プールホッパ５は、その底部に対して開閉可能なゲート５ａを有する。各プールホッパ５は、ゲート５ａを閉じることで、対応するトラフ４ａの先端部から排出された物品Ａを一時的に貯留する。さらに、各プールホッパ５は、ゲート５ａを開くことで、一時的に貯留した物品Ａを下方に排出する。
【００２８】
複数の計量ホッパ６は、中心線ＣＬを囲むように配置される。各計量ホッパ６は、各プールホッパ５のゲート５ａの下方に配置される。各計量ホッパ６は、その底部に対して開閉可能なゲート６ａと、を有する。各計量ホッパ６は、ゲート６ａを閉じることで、対応するプールホッパ５から排出された物品Ａを一時的に貯留する。さらに、各計量ホッパ６は、ゲート６ａを開くことで、一時的に貯留した物品Ａを下方に排出する。
【００２９】
各ブースタホッパ７は、各計量ホッパ６のゲート６ａの下方に配置される。各ブースタホッパ７は、その底部に対して、開閉可能なゲート７ａを有する。各ブースタホッパ７は、ゲート７ａを閉じることにより、対応する計量ホッパ６のゲート６ａ側から排出された物品Ａを一時的に貯留する。さらに、各ブースタホッパ７は、ゲート７ａを開くことで、一時的に貯留した物品Ａを下方に排出する。
【００３０】
集合シュート８は、各ブースタホッパ７から排出された物品Ａを排出口８ａに集合させる。排出口８ａは、複数のブースタホッパ７に対して下側且つ中心線ＣＬ上に位置する。集合シュート８は、上段シュート部８１と、下段シュート部８２と、を有する。上段シュート部８１は、各ブースタホッパ７から排出された物品Ａを受けて当該物品Ａを排出口８ａ側（すなわち、中心線ＣＬ側且つ下側）に滑走させる。下段シュート部８２は、下方に向かって先細りの円錐台状の筒体であり、上側の開口８２ａ及び下側の開口８２ｂを有する。下段シュート部８２は、下側の開口８２ｂを排出口８ａとして、当該排出口８ａから物品Ａを下方に排出する。
【００３１】
タイミングホッパ９は、排出口８ａの下方に配置される。タイミングホッパ９は、その底部に対して開閉可能なゲート９ａを有する。タイミングホッパ９は、ゲート９ａを閉じることで、集合シュート８から排出された物品Ａを一時的に貯留する。さらに、タイミングホッパ９は、ゲート９ａを開くことで、一時的に貯留した物品Ａを製袋包装機６０に排出する。
【００３２】
計量部１１は、フレーム１２に支持されたケース１３内に配置される。計量部１１は、複数のロードセル１１ａを有する。各ロードセル１１ａは、対応する計量ホッパ６を支持する。計量部１１は、各計量ホッパ６に物品Ａが一時的に貯留される際に、当該物品Ａの質量に応じた計量値を計量する。
【００３３】
制御部２０は、ケース１３内に配置される。制御部２０は、ＣＰＵ（Central  Processing  Unit）、ＲＯＭ（Read  Only  Memory）、ＲＡＭ（Random  Access  Memory）等を有する。制御部２０は、分散テーブル３及び放射フィーダ４の搬送動作、各プールホッパ５のゲート５ａの開閉動作、各計量ホッパ６のゲート６２の開閉動作、並びにタイミングホッパ９のゲート９ａの開閉動作等、組合せ計量装置１の各部の動作を制御する。なお、制御部２０は、製袋包装機６０、搬送コンベア５０及び後述の検知部３８と通信可能に接続される。
【００３４】
制御部２０は、計量部１１によって計量された計量値と、当該計量値に対応する物品Ａを貯留する計量ホッパ６とを対応付けて記憶する。制御部２０は、計量部１１によって計量され且つ各計量ホッパ６に対応付けられた複数の計量値から、合計値が目標計量値となるように計量値の組合せを選択する。より具体的には、制御部２０は、計量部１１によって出力された複数の計量値から、目標計量値を下限値とする所定範囲内に合計値が収まるように計量値の組合せを選択する。そして、制御部２０は、当該組合せに対応する計量ホッパ６に物品Ａを排出させる。
【００３５】
なお、投入シュート２、分散テーブル３、複数の放射フィーダ４、複数のプールホッパ５、複数の計量ホッパ６及び複数のブースタホッパ７は、ケース１３に直接的に又は間接的に支持される。集合シュート８及びタイミングホッパ９は、フレーム１２に直接的に又は間接的に支持される。
【００３６】
回転テーブル３０は、環状の天板３１と、支持部３２と、キャスター付きの脚部３３と、を含む。環状の天板３１は、支持部３２に支持される。環状の天板３１の下面に設けられた環状のレール部が支持部３２の上面に設けられた係合溝において摺動することにより、環状の天板３１は、回転可能である。回転テーブル３０は、その回転中心が中心線ＣＬとほぼ一致するように設けられる。
【００３７】
図２に示されるように、回転テーブル３０は、４つの部分３１ａに分割可能であり、分割することによって取外し可能である。部分３１ａは、４つに分割された環状の天板３１の一つと、４つに分割された支持部３２の一つと、脚部３３とを有する。部分３１ａ同士は、止め金具等の固定部材により結合して再び回転テーブル３０を組み立てることができる。なお、作業者が回転テーブル３０を持ち上げることにより、４つの部分３１ａが結合した状態で着脱することも可能である。
【００３８】
４つの部分３１ａは、それぞれロードセル３８ａを含む検知部３８を有する。各ロードセル３８ａは、回転テーブル３０が組み立てられた際に環状の天板３１を支持し、環状の天板３１における複数の部分それぞれに対応する領域に載置された被計量物の質量（載置量）を検知することができる。各ロードセル３８ａは、制御部２０と通信可能に構成され、検知結果を制御部２０に送信することができる。
【００３９】
図１に戻り、搬送コンベア５０は、排出部５１が首振り可能に設けられる。図１に示されるように、搬送コンベア５０は、首振り動作により、排出部５１の先端が投入シュート２及び環状の天板３１のいずれかの上方に位置するように、排出部５１の向きを変えることができる。
【００４０】
組合せ計量装置１の周りには、架台４０が設けられ、回転テーブル３０は架台４０上に配置される。
【００４１】
以下、計量システム１０の動作及び使用の一例について説明する。制御部２０は、搬送コンベア５０から回転テーブル３０の環状の天板３１上に被計量物を供給する第１モードと、搬送コンベア５０から分散テーブル３上に被計量物を供給する第２モードと、に切り替え可能である。第１モードと第２モードとは、作業者が適宜変更可能である。
【００４２】
第１モードでは、被計量物は、回転テーブル３０に供給される。この際に回転テーブル３０の周囲に配置された作業者は、手作業で被計量物をプールホッパ５に投入する。ここで、回転テーブル３０の回転動作は、作業者が手動で環状の天板３１を回転させる手動モードと、ロードセル３８ａの検知結果に基づいて制御部２０により搬送コンベア５０の供給動作及び回転テーブル３０の回転動作の少なくとも一方を制御する自動モードとに切り替え可能である。手動モードでは、作業者は、手動で環状の天板３１を回転させて、環状の天板３１上に載置された被計量物を自分又は他者の手前に移動させることができる。
【００４３】
自動モードでは、回転テーブル３０が備える各ロードセル３８ａが、上述の対応する領域に載置された被計量物の質量を計量し、計量値を制御部２０に送信する。制御部２０は、領域ごとに、予め設定される載置量と送信された計量値とを対比する。制御部２０は、計量値が予め設定される載置量よりも少ないと判断した領域に対して、搬送コンベア５０を制御して当該領域に被計量物が供給されるよう排出部５１の向きを変更する（自動モードＡ）、又は回転テーブル３０の環状の天板３１を回転させて当該領域を排出部５１から被計量物を供給される位置に移動させる（自動モードＢ）。自動モードＡと自動モードＢとは、周囲の設備の配置等に応じて作業者が適宜変更可能である。
【００４４】
作業者が第１モードに切り替えた際に、制御部２０は、分散テーブル３の動作を停止させる。
【００４５】
第２モードでは、被計量物が搬送コンベア５０から分散テーブル３に供給され、自動で被計量物の搬送及び計量が行われる。
【００４６】
組合せ計量装置１は、複数のプールホッパ５と、回転テーブル３０と、を有し、回転テーブル３０は、環状の天板３１が複数のプールホッパ５を囲むように配置される。この組合せ計量装置１では、回転テーブル３０上に載置された被計量物を作業者が手作業でホッパに投入することができる。そのため、分散テーブル３等において滑り難く搬送し難い被計量物についても容易にホッパに投入し計量することができる。
【００４７】
組合せ計量装置１では、回転テーブル３０は、環状の天板３１の周方向において、４つの部分３１ａに分割可能である。これにより、回転テーブル３０の持ち運び及び収納が容易となる。
【００４８】
組合せ計量装置１では、回転テーブル３０は、４つの部分３１ａに分割することにより、着脱可能である。これにより、回転テーブル３０の着脱が容易となる。
【００４９】
組合せ計量装置１では、回転テーブル３０は、複数の部分が結合した状態で着脱可能である。これにより、回転テーブル３０を分割及び結合する作業を省略することができる。
【００５０】
組合せ計量装置１は、ロードセル１１ａと、ロードセル１１ａの検知結果に基づき、搬送コンベア５０の供給動作及び回転テーブル３０の回転動作の少なくとも一方を制御する制御部２０と、をさらに有する。これにより、搬送コンベア５０の供給動作又は回転テーブル３０の回転動作がロードセル１１ａの検知結果に基づいて自動的に行われるため、作業者による被計量物の供給動作又は回転テーブル３０の回転動作を省略することができる。
【００５１】
組合せ計量装置１では、制御部２０は、環状の天板３１において、被計量物の載置量が予め設定される載置量よりも少ない領域に対して被計量物が供給されるように、搬送コンベア５０及び回転テーブル３０の回転動作の少なくとも一方を制御する。これにより、環状の天板における載置量の少ない箇所に自動的に被計量物が供給されるため、より効率的に計量を行うことができる。
【００５２】
組合せ計量装置１は、分散テーブル３と、放射フィーダ４と、をさらに有してもよい。これにより、分散テーブル３を使用した自動搬送を併用することができるため、より効率的に被計量物の計量を行うことができる。また、システムのレイアウトを変更せずに、被計量物を自動搬送が行いやすいものに変更し、自動搬送による計量を行うこともできる。
【００５３】
計量システム１０は、搬送コンベア５０と、分散テーブル３と、複数の放射フィーダ４と、複数のプールホッパ（ホッパ）５と、回転テーブル３０と、を備え、搬送コンベア５０が、環状の天板３１上又は分散テーブル３上に被計量物を供給できるように可動式に設けられた排出部５１を有する。計量システム１０では、搬送コンベア５０が排出部５１を有するため、組合せ計量装置１の回転テーブル３０及び分散テーブル３のいずれにも被計量物を供給することができる。これにより、回転テーブル３０又は分散テーブル３への被計量物の供給を自動化することができる。作業者は、回転テーブル３０を回転させることにより、供給された被計量物を他の作業者に渡すことができる。このように、被計量物の計量をさらに効率よく行うことができる。
【００５４】
計量システム１０は、搬送コンベア５０から被計量物が供給される位置を制御する制御部２０をさらに備え、制御部２０は、搬送コンベア５０から回転テーブル３０の環状の天板３１上に被計量物を供給する第１モードと、搬送コンベア５０から分散テーブル３上に被計量物を供給する第２モードと、に切り替え可能であってよい。これにより、被計量物の種類に応じて、作業者が手作業で被計量物をホッパに投入する場合と、自動で被計量物をホッパに搬送する場合とを切り替えることができる。
［変形例］
【００５５】
上記実施形態では、組合せ計量装置１の制御部２０が搬送コンベア５０の供給動作を制御したが、搬送コンベア５０が搬送コンベア５０の供給動作を制御する制御部を有していてもよい。この場合、自動モードＡにおいて、搬送コンベア５０の制御部がロードセル３８ａの検知結果を直接受け取り、検知結果に基づいて搬送コンベア５０の制御部が排出部５１の向きを制御してもよい。
【００５６】
上記実施形態では、制御部２０は、第１モードと第２モードとに切り替え可能であったが、制御部２０は、切り替え可能なモードとして搬送コンベア５０から回転テーブル３０の環状の天板３１上及び分散テーブル３上に被計量物を供給する第３モードをさらに有していてもよい。
【００５７】
上記実施形態では、回転テーブル３０の部分３１ａごとにロードセル３８ａを備えていたが、回転テーブルが分割できない場合には、支持部３２上に予め領域が設定され、設定された各領域上にロードセル３８ａが設けられていてもよい。また、回転テーブル３０の部分３１ａごとに複数の領域が予め設定され、設定された各領域上にロードセル３８ａが設けられてもよい。
【００５８】
上記実施形態では、組合せ計量装置１は、複数のプールホッパ５を有していたが、プールホッパ５を有していなくてもよい。この場合、被計量物は、放射フィーダ４から、又は作業者により手作業で、直接計量ホッパ６に投入される。
【００５９】
上記実施形態では、組合せ計量装置１は、複数のブースタホッパ７を有していたが、ブースタホッパ７を有していなくてもよい。この場合、被計量物は、計量ホッパ６から集合シュート８に直接排出される。
【００６０】
上記実施形態では、組合せ計量装置１は、分散テーブル３を有していたが、分散テーブル３を有していなくてもよい。また、上記実施形態では、組合せ計量装置１は、放射フィーダ４を有していたが、放射フィーダ４を有していなくてもよい。
【００６１】
上記実施形態では、回転テーブルは、４つの部分３１ａに分割可能であったが、分割可能な部分の個数は４つに限定されず、２つ以上に分割可能であればよい。
【符号の説明】
【００６２】
１…組合せ計量装置、２…投入シュート、３…分散テーブル、４…放射フィーダ、５…プールホッパ（ホッパ）、６…計量ホッパ、７…ブースタホッパ、８…集合シュート、９…タイミングホッパ、２０…制御部、１１ａ…ロードセル、３０…回転テーブル、３１…環状の天板、３２…支持部、３３…脚部、４０…架台、５０…搬送コンベア（供給装置）、５１…排出部。
【図１】
2018155647.tif 000003
【図２】
2018155647.tif 000004